(57)【要約】本発明の通信システムは、第一の携帯装置１００と第二の携帯装置１３０を具え、第一の携帯装置１００は、第一の近距離線通信デバイス、及び送信／受信する第一の無線デバイスを有し、前記第一の携帯装置１００は、通信ネットワーク１２０に第一の接続部１２５を通じてネットワークサービスに接続され、第二の携帯装置１３０は、第二の近距離通信デバイス、及び送信／受信する第二の無線デバイスを有し、前記第一及び第二の近距離通信デバイスは、隣同士に保持されるときに、識別情報を交換するように適合させて、前記第二の携帯装置が前記ネットワークサービスに加入できるようにするため、前記第二の携帯装置と前記通信ネットワーク１２０との間の第二の接続部１２８を起動させる。本発明の従うそのような通信システムは、複数の参加者間での携帯ネットワーク又はオンラインゲームサービスによって提供される電話会議サービスであることができる。
2008530887.tif 000002
【特許請求の範囲】
【請求項１】
第一の近距離通信デバイス、及び送信／受信する第一の無線デバイスを有し、通信ネットワークに第一の接続部を通じてネットワークサービスに接続される第一の携帯装置と、
第二の近距離通信デバイス、及び送信／受信する第二の無線デバイスを有する第二の携帯装置と
を具え、前記第一及び第二の近距離通信デバイスは、それらが隣同士に保持される場合に、識別情報を交換するように適合させて、前記第二の携帯装置が前記ネットワークサービスに加入することができるようにするため、前記第二の携帯装置と前記通信ネットワークとの間の第二の接続部を起動させる通信システム。
【請求項２】
前記第一及び第二の近距離通信デバイスはＮＦＣタイプからなる請求項１に記載の通信システム。
【請求項３】
ネットワークサービスに加入するための携帯装置であって、
他の携帯装置は、第一の近距離通信デバイス、及び送信／受信する第一の無線デバイスを有し、通信ネットワークに第一の接続部を通じて前記ネットワークサービスに接続され、前記加入するための携帯装置は、第二の近距離通信デバイス、及び送信／受信する第二の無線デバイスを有し、前記第二の近距離通信デバイスは、前記第一の近距離通信デバイスと隣同士に保持される場合に、識別情報を前記第一の近距離通信デバイスと交換するように適合させて、前記加入するための携帯装置が、前記ネットワークサービスに加入することができるようにするため、前記加入するための携帯装置と前記通信ネットワークとの間に第二の接続部を起動させる、ネットワークサービスに加入するための携帯装置。
【請求項４】
コンテキストパラメータ及びサービスパラメータを格納するメモリを更に有し、前記コンテキストパラメータが、前記接続部を通じて伝送されるべきデータを規定し、前記加入するための携帯装置は、前記コンテキストパラメータに応じて、前記ネットワークサービスに加わることができる請求項３に記載の携帯装置。
【請求項５】
第一の近距離通信デバイス、及び送信／受信する第一の無線デバイスを有し、第二の近距離通信デバイス、及び送信／受信する第二の無線デバイスを有する他の携帯装置と通信するのに適し、通信ネットワークに第一の接続部を通じてネットワークサービスに接続される携帯装置であって、
前記第一の近距離通信デバイスは、前記第二の近距離通信デバイスと隣同士に保持される場合に、前記第二の近距離通信デバイスと識別情報を交換するように適合させて、前記他の携帯装置が前記ネットワークサービスに加入することができるようにするため、前記他の携帯装置と前記通信ネットワークとの間の第二の接続部を起動させる携帯装置。
【請求項６】
第一の近距離通信デバイス、及び送信する／受信する第一の無線デバイスを有し、通信ネットワークに第一の通信を通じてネットワークサービスに接続された第一の携帯装置と、第二の近距離通信デバイス、及び送信／受信する第二の無線デバイスを有する第二の携帯装置との間の通信方法であって、
該方法は、前記第一及び第二の近距離通信デバイスが隣同士に保持される場合に、前記第一及び第二の近距離通信デバイス間で識別情報を交換し、前記第二の携帯装置と前記通信ネットワークとの間の第二の接続部を起動させ、前記第二の携帯装置が、前記通信ネットワークに前記第二の接続部を通じて前記ネットワークサービスに加わることを可能にすることを包含する通信方法。
【発明の詳細な説明】
【技術分野】
【０００１】
本発明は、一の携帯装置がネットワークサービスに接続され、もう一方の携帯装置がネットワークサービスに加入することを望むような、少なくとも二つの携帯装置を有する通信システムに関するものである。
【０００２】
本発明はまた、そのような通信システム内で構成される携帯装置に関するものである。
【０００３】
本発明は、最終的には、一の携帯装置がネットワークサービスに接続され、もう一方の携帯装置がネットワークサービスに加入することを望むような携帯装置間の通信方法に関するものである。
【０００４】
本発明は、例えば、携帯電話若しくは個人用の携帯情報端末ＰＤＡｓ、又はネットワークサービスに接続することができるその他の装置の分野に、その用途を見いだすものである。
【背景技術】
【０００５】
携帯電話ネットワークオペレータは、ユーザにますます多くのネットワークサービスを提供する。これらのサービスは、通常、個人であるものの、数人のユーザ間のサービスの導入がより一般的になりつつある。そのようなサービスは、例えば、数人のメンバー間で電話会議を構築するための能力である。
【０００６】
これらのネットワークサービスがユーザにとって有用であるものの、それらの使用法は、非常に長いメニューを読むこと及び／又は複数のキーの組合せを押すことを必要とする、そのようなサービスを設定する複雑さに起因して制限される。
【０００７】
より詳細には、第一の携帯電話のユーザが、遠隔ユーザとともに、予め確立された通話中であり、第二の携帯電話のユーザが、第一の携帯電話のすぐ近くにいると想定する。この場合、三人のユーザ間の電話会議の構築は、いくつかの工程を必要とし、用いられるネットワークの機能のように異なる可能性がある。
【０００８】
従来の解決方法は、少なくとも第一の携帯電話が、予め確立された通話を保留し、第二の携帯電話の電話番号を取得し、（この特徴が携帯電話及び携帯電話ネットワークオペレータによってサポートされると仮定して）第二の携帯電話に電話をかけ、第一の携帯電話と第二の携帯電話との間に第二の通話が構築されるまで待ち、携帯電話ネットワークオペレータによって提供されるメカニズムによって二つの通話が接続することを必要とする。
【０００９】
上記の解決方法は、ユーザの観点から満足いくものではなく、極めて複雑である。それらはユーザからの大変な関与を必要とするためである。電話会議の例によれば、第二の通話を構築することは、現在、大部分の携帯電話において既に課題となっており、この複雑さに加えて、ユーザは携帯電話ネットワークオペレータの電話会議サービスを起動する仕方を知っておかなければならない。実際のところ、携帯電話のユーザは、携帯電話によって提供される、（例えば、ダイヤルアップや応答のような）基本的機能に精通しているのであるが、通話転送又は電話会議のような先進的な機能にはあまり精通していない。
【発明の開示】
【発明が解決しようとする課題】
【００１０】
本発明の目的は、ネットワークサービスに接続された他の携帯装置に近くにある携帯装置が、従来技術のものよりも、ユーザにとってより便利な方法で前記ネットワークサービスに加入することを可能にする通信システムを提案するものである。
【課題を解決するための手段】
【００１１】
本発明に従って、第一の近距離通信デバイス、及び送信／受信する第一の無線デバイスを有し、通信ネットワークに第一の接続部を通じてネットワークサービスに接続される第一の携帯装置と、第二の近距離通信デバイス、及び送信／受信する第二の無線デバイスを有する第二の携帯装置とを具え、前記第一及び第二の近距離通信デバイスは、それらが隣同士に保持される場合に、識別情報を交換するように適合させて、前記第二の携帯装置が前記ネットワークサービスに加入することができるようにするため、前記第二の携帯装置と前記通信ネットワークとの間の第二の接続部を起動させる通信システムを提供する。
【００１２】
結果として、隣同士の前記第一及び第二の近距離通信デバイスを保持すると、前記第一の携帯装置と第二の携帯装置と間の通信が、これら携帯装置のユーザ同士の他の関与なしに開始され、従来技術のものよりも、ユーザにとってはるかに便利な解決方法である。
【００１３】
有益には、第一及び第二の近距離通信デバイスは、ＮＦＣタイプからなる。
【００１４】
本発明はまた、そのような通信システム内で構成される携帯装置にまで及ぶ。
【００１５】
本発明のこれらの態様や他の態様は、以下に記載される実施形態を参照して、明らかになり、かつ明瞭になるであろう。
【発明を実施するための最良の形態】
【００１６】
図１を参照すると、本発明に従う通信システムが、概略的な場合で示されている。
【００１７】
そのような通信システムは、少なくとも二つの携帯装置１００及び１３０、例えば携帯電話を有する。これら二つの携帯装置は、通信ネットワーク１２０へ第一の接続部１２５及び第二の接続部１２８を通じてネットワークサービスに接続することが可能である。
【００１８】
第一の携帯装置１００は、第一の近距離通信デバイス、第一の従来型無線送信デバイス及び第一のネットワークサービス接続用ソフトウェアを有する。
【００１９】
通信システムはまた、親機の（第一の）携帯装置の付近に、第二の携帯装置１３０、例えば携帯電話を有する。前記第二の携帯装置は、第二の近距離通信デバイス、第二の無線送信デバイス及び第二のネットワークサービス接続用ソフトウェアを有する。
【００２０】
本発明の実施形態によれば、第一及び第二の近距離通信デバイスは、いずれもＮＦＣタイプである。ＮＦＣは、例えば、２００２年１２月付けの近距離通信用インターフェース及びプロトコル（ＮＦＣＩＰ−１）規格である書類ＥＣＭＡ３４０及び、ＮＦＣインターフェース及びプロトコル−２（ＮＦＣＩＰ−２）規格である書類ＥＣＭＡ３５２に記載されている。しかしながら、本発明は、この実施形態に制限されない。代案として、これらの近距離通信デバイスは、親機と子機の携帯装置が、互いに近接している場合の、子機の携帯装置が親機の携帯装置と通信できることを条件として、着色光、ＬＥＤ点滅又はその他の技術に基づくことができる。
【００２１】
第一の携帯装置１００は、第一の接続部１２５を通じて通信ネットワークによって提供されるサービスを用いる第一の状態か、又は、通信ネットワークによって提供されるサービスを用いることが潜在的に可能である第二の状態のいずれでもよい（すなわち、サービスは、装置と通信ネットワークとの間で構築されない）。サービスネットワークは、情報をネットワークと交換するため、いずれかの従来法を用いて構築される。
【００２２】
第二の携帯装置は、待ち受け状態か、又は、第一の携帯装置に接続されるか、あるいは、接続することが可能であるネットワークサービスと適合する状態のいずれかである。
【００２３】
このネットワークサービスは、ネットワークオペレータによって、又は、二つ以上の携帯装置が、前記サービスの特定のインスタンス化に協働することができる、その他の第三者によって提供される共同サービスとして見ることができる。それは、例えば、携帯ネットワークによって提供される電話会議である可能性がある。この場合、遠隔送受器とともに、すでに予め確立された通話中の携帯送受器は、新規ユーザを含む電話会議を構築するため、予め確立された通話の一種のアップグレードを携帯ネットワークに要求することができる。別の実施例は、携帯ネットワークによって提供されるサービスを用いて、互いに近くにいる幾人かの参加者の間でのオンラインゲームである。
【００２４】
本発明に従う通信システムは、以下のように稼動する。第一及び第二の近距離通信デバイスが互いに隣接して保持されると、近距離範囲（数センチメートル）の第一通信リンクは、二つの前記デバイスが識別情報を交換することができるようにするため、前記デバイス間で構築される。この第一の通信リンクによって、ネットワーク上の装置識別には制限されないが、国際電話番号、携帯装置の状態、優先の及び／又は支持されたネットワークサービス、サービスパラメータを含むような情報の交換を、二つの前記携帯装置で行なうことが可能である。
【００２５】
この情報交換は、ＮＦＣ転送インターフェースプロトコル又は／及び、このプロトコルのいかなる拡張又は変化に従って達成される。本発明の一の実施形態によれば、二つの前記携帯装置は、ＮＴＩＰプロトコルを用いて、状態及びサービス情報を交換する。このＮＴＩＰプロトコルは、ＮＦＣ転送インターフェースプロトコル（ＮＴＩＰ）仕様における近距離通信フォーラム（ＮＦＣフォーラム）によって定められる。ＮＴＩＰ仕様に従う交換情報の構成は、図２に示される。データ交換は、ＮＴＩＰパケットの形で行われる。ＮＴＩＰパケット２００は、ＮＴＩＰヘッダ２１０及び少なくとも一つのレコードを有するレコードリスト２２０を含む。ＮＴＩＰヘッダは、ＮＴＩＰパケット内でレコードリストの長さを含む。各レコード２２５は、三つの要素、すなわち、レコードタイプ２２６、レコードコンテンツ長さ２２７及びレコードコンテンツ要素２２８のシーケンスである。このレコードコンテンツ要素は、交換されるべきである状態及びサービス情報を含む。
【００２６】
より安全な実施形態では、前記携帯装置間でのＮＦＣ通信中に交換される情報量を制限して、セキュリティ及びプライバシを高めることができる。例えば、一時的な固有の装置識別番号を交換することができる。
【００２７】
前記携帯装置が状態やサービス情報をいったん交換すると、これら二つの携帯装置は、それらのそれぞれのネットワークサービス接続用ソフトウェアを用いて、それらのそれぞれの接続部１２５及び１２８を通じてネットワークサービスを構築する。第一の携帯装置が、通信ネットワーク１２０に第一の接続部１２５を通じてネットワークサービスへすでに接続されているならば、第二の携帯装置は、そのネットワークサービス接続用ソフトウェアを用いて通信ネットワーク１２０に第二の接続部１２８を通じて構築されたネットワークサービスに接続することが可能である。
【００２８】
各携帯装置は、コンテキストパラメータ及びサービスパラメータを格納するメモリを有することができ、前記コンテキストパラメータは、前記接続部１２５又は１２８を介して伝送されるべきデータを規定し、以下に更に詳細に後述するように、携帯装置は、コンテキストパラメータに応じてネットワークサービスに接続することができる。
【００２９】
これら二つの携帯装置は、ネットワークサービスプロバイダの仕様及び、前記携帯装置間でのＮＦＣ通信中に交換される情報に従って、ネットワークサービスを構築又は接続する。
【００３０】
ネットワークサービスに接続する前のユーザからの確認は、セキュリティ上の理由を要求されるかも知れず、又は、場合によっては、このようなネットワークサービスにアクセスするために割増料金が要求されるかもしれない。ネットワークサービスは、次の条件、すなわち、ユーザがサービスを終了するか、ネットワークがサービスを終了するか、ネットワークサービスへのアクセスを認証する携帯装置上のアプリケーションがサービスを終了するか、あるいは、ネットワーク障害又はその他の障害のうちの１つが発生するまで保留中である。
【００３１】
次に図３に言及すると、携帯ネットワークによって提供される電話会議サービスの場合に図示された本発明に従う通信システムである。
【００３２】
予め確立された通話は、第一の携帯装置１００（すなわち、図示例では携帯電話）と、無線リンク１２５を経て通信ネットワーク１２０を通じた遠隔通信装置との間にセットされる。前記遠隔通信装置は、ワイヤレス接続１２６を経て通信ネットワーク１２０に接続される別の携帯電話１１０か、又は固定回線（有線）接続１２７を経て通信ネットワーク１２０に接続される、地上回線又はワイヤレスの固定電話１１１であることができる。
【００３３】
第二の携帯装置１３０（すなわち、図示例では、他の携帯電話）は、ネットワークオペレータによって提供されるネットワークサービスを用いて予め確立された通話に加わることを望む。
【００３４】
二台の携帯電話は、前述のように、互いに近接していて、かつ、これら二台の携帯電話間にＮＦＣ接続を構築するため、隣同士でホールドされる。
【００３５】
ＮＦＣ接続がいったん構築されると、前記二台の携帯電話が、それらの固有の識別番号を、携帯ネットワークに交換する。一例として、固有のネットワーク識別番号は、携帯電話の呼出番号である。
【００３６】
ＮＦＣ通信中に、第一の携帯電話は、予め確立された通話に加わるため、或いは、三台以上の携帯電話が通信する場合には、例えばサービスの識別番号及び／又はサービスパラメータには限定されないで、予め確立された電話会議に加わるため、必要な情報の全てを前記第二の携帯電話に送信する。
【００３７】
ＮＦＣ接続する前の待機状態である、第二の携帯電話は、他の電話の要求の受信を認識し、積極的に要求に応じる。その後、第二の携帯電話は、この第二の携帯電話に取り込まれる送信／受信する無線デバイスを用いて携帯ネットワークと情報を交換することによって、携帯ネットワークに識別されるネットワークサービス（すなわち、図示例では電話会議）に加わる意思を確立する。携帯ネットワークと携帯電話との間で用いられるプロトコルは、本発明の部分でなく、また、携帯ネットワークに特有であってもよい。
【００３８】
その後、第一の携帯電話は、電話会議の一部として第二の携帯電話を受け入れるため、携帯ネットワークに指示することによってネットワークサービスを終了させる。
【００３９】
本発明の実施形態によれば、第二の携帯電話は、ＮＦＣ通信中に交換される呼出番号に基づいて、携帯ネットワークを用いて第一の携帯電話を呼び出す。第一の携帯電話は、携帯ネットワークから追加の通話の通知を受信し、第一の携帯電話のネットワークサービス接続用ソフトウェアは、（ＮＦＣ通信中に交換される呼出番号に基づく）第二の携帯電話からの着信があることを確認し、第二の携帯電話が携帯ネットワークに指示することによって電話会議に接続することが可能になる。
【００４０】
電話会議は、第一の携帯電話、前記携帯ネットワークもしくは第三者の要求、又はいずれかのネットワーク障害で終了される。各追加の携帯デバイスは、それらの参加を直接終了させるか、あるいは、前記第一の装置によって電話会議の接続を切ることができる。
【００４１】
図４は、ＮＦＣ関連のソフトウェア及びネットワークサービス接続用ソフトウェアの実施を示したものである。ソフトウェアスタックは、リアルタイムオペレーティングシステム及びドライバ４１０、（ＮＴＩＰに基づく）ＮＦＣ関連のソフトウェア４２０、携帯電話ソフトウェアスタック及びイベントマネージャ４３０、ネットワークサービス接続用ソフトウェア４４０、ならびに、種々のアプリケーション４５０を有する。
【００４２】
図５は、ネットワークサービス接続用ソフトウェアによって実施される種々の工程の第一の実施形態を示し、これらの工程は、携帯ネットワークによって提供されるサービスを用いて、二つの携帯装置間にネットワークサービスを構築するために必要とされる。
【００４３】
ステップ５００では、第一の携帯電話１００が、一人以上の通信相手と、予め確立された通話又は電話会議中である。第二の携帯電話１３０は、待機状態５５０である。第二の携帯電話が、予め確立された通話に加わりたい場合には、前記二台の携帯電話は、隣同士にホールドされ、前記二台の携帯電話を、ターゲットデバイス（すなわち、第一又は第二の携帯電話）が検出されたことに従って、状態５１０に入らせる。
【００４４】
各携帯電話が、他の携帯電話によっていったん検出されると、ＮＦＣ接続が構築される。そのとき、前述のように、ステップ５２０において、各携帯電話は、他の携帯電話と、識別情報、ネットワークサービス機能及び関連パラメータを交換する。情報交換がいったん行われると、ＮＦＣ接続は終了する。
【００４５】
ステップ５３０では、各携帯電話が、その後、携帯ネットワークへの接続を構築して、前述のように電話会議を設定する。
【００４６】
図６は、ネットワークサービス接続用ソフトウェアによって実施される種々の工程の第二の実施形態を示し、これらの工程は、携帯電話ネットワークによって提供されるサービスを用いて前記二つの携帯装置間にネットワークサービスを構築するために必要とされる。
【００４７】
第一の携帯電話は、一人以上の通信相手と通話中である。第二の携帯電話は、非待機状態である。第二の携帯電話が、予め構築された通話に加わりたい場合には、前記二台の携帯電話は隣同士にホールドされ、前記二台の携帯電話を、新たなデバイスが検出されたことに従って、状態６００に入らせる。
【００４８】
各携帯電話が他の携帯電話によっていったん検出されると、ＮＦＣ接続が構築される。そのとき、各携帯電話は、前述のように、ステップ６１０において、他の携帯電話と、識別情報、ネットワークサービス機能及び関連パラメータを交換する。
【００４９】
ステップ６２０では、各携帯電話が、それ独自の状態の機能として、ネットワークサービス機能、他の携帯電話の状態、関連したコンテキストパラメータを有する最も有望なネットワークサービス（この場合、電話会議）を判断する。
【００５０】
ネットワークサービスが第一の携帯電話によって識別されると、第一の携帯電話は、状態６３０に入り、ＮＦＣ通信中に交換されるパラメータを用いて、携帯電話ネットワークのネットワークサービスに加入するための勧誘を、第二の携帯電話に送信する。
【００５１】
ネットワークサービスが第二の携帯電話によって識別されると、第二の携帯電話は、状態６３１に入り、ＮＦＣ通信中に交換されるパラメータを用いて、携帯電話ネットワークのネットワークサービスに加入するための勧誘を、第一の携帯電話に送信する。
【００５２】
その後、各携帯電話は、ステップ６３５において承認を待つ。
【００５３】
テスト６４０において、第一の携帯電話が、第二の携帯電話から両立できる要求（ｙ）を受信すると、第一の携帯電話は、この第一の携帯電話によって識別されるネットワークサービスに加入するため、第二の携帯電話への勧誘を再通知／確認し、ＮＦＣ接続を終了させかつ、ステップ６６０においてネットワークサービスを開始する前に、ステップ６５０において、ネットワークサービスに加入するための付加的なパラメータを任意的に交換する。
【００５４】
テスト６４０において、第一の携帯電話が、第二の携帯電話から両立できない要求（ｎ）を受信すると、第一の携帯電話は、第二の携帯電話との電話会議を構築することができず、要求を中断し、そして、ＮＦＣ接続を終了させる。
【００５５】
テスト６４１において、第二の携帯電話が、第一の携帯電話から両立できる要求（ｙ）を受信すると、第二の携帯電話は、要求の受信を承認し、ＮＦＣ接続を終了させ、かつステップ６６０において、ネットワークサービスを開始する前に、必要に応じて、ステップ６５０において、ネットワークサービスに加入するため、付加的なパラメータを交換する。
【００５６】
テスト６４１において、第二の携帯電話が、第一の携帯電話から両立できない要求（ｎ）を受信すると、第二の携帯電話は、第一の携帯電話との電話会議を構築することができず、要求を中断し、そしてＮＦＣ接続を終了させる。
【００５７】
上述の実施形態は、本発明を限定するためよりもむしろ、説明するために用いており、また、特許請求の範囲によって規定されたような本発明の範囲から逸脱することなしに、当業者が代案の多くの実施形態を設計することができることは注目すべきである。
【００５８】
「有する」という動詞及びその活用の使用が、いずれかの請求項において定義される工程又は構成要素以外のその他の工程又は構成要素の存在を排除するものではないことは明らかであろう。一の構成要素又は工程の前に付く冠詞「ａ」や「ａｎ」は、そのような複数の構成要素又は工程の存在を排除するものではない。
【図面の簡単な説明】
【００５９】
【図１】図１は、本発明に従う通信システムの一の実施形態を示す図である。
【図２】図２は、ＮＴＩＰ仕様に従って交換される情報の構造を示す図である。
【図３】図３は、本発明に従う通信システムの他の実施形態を示す図である。
【図４】図４は、ＮＦＣ関連ソフトウェア及びネットワークサービス接続用ソフトウェアの実施を示す図である。
【図５】図５は、本発明の一の実施形態に従うネットワークサービスへの接続を構築する方法を示す図である。
【図６】図６は、本発明の他の実施形態に従うネットワークサービスへの接続を構築する方法を示す図である。
【図１】
2008530887.tif 000003
【図２】
2008530887.tif 000004
【図３】
2008530887.tif 000005
【図４】
2008530887.tif 000006
【図５】
2008530887.tif 000007
【図６】
2008530887.tif 000008
【国際調査報告】
2008530887.tif 000009
2008530887.tif 000010